(57)【要約】【課題】  収容する薄型テレビ等の板状品のサイズや厚みが変更しても汎用的に収容できるようにする。【解決手段】上側が開口したベース体２と、ベース体２の底壁２ａ上に設置される緩衝材３と、ベース体２に嵌め被せられる下側が開口した有底角筒状の被覆体４と、前面に、止め手段としての左右一対のパネル用ベルト５によって薄型テレビＴ等の板状品が固定される保持パネル６と、ベース体２の左右両側に立設され、保持パネル６の両側縁６ａが嵌め込まれる溝７が形成されたパネル支持体８Ａ・８Ｂを有し、前記板状品のサイズに関係なく、これを保持パネル６と一体化して、該保持パネル６を当該ボックス内に収容固定する。【選択図】  図１
2019089558.tif 000002
【特許請求の範囲】
【請求項１】
底壁、前後壁および左右壁を有し、上側が開口したベース体と、ベース体の底壁上に設置される緩衝材と、ベース体に嵌め被せられる下側が開口した有底角筒状の被覆体と、前後いずれか一面に、止め手段によって板状品が固定される保持パネルと、ベース体の左右両側に立設され、保持パネルの両側縁が嵌め込まれる溝が形成されたパネル支持体を有する、板状品搬送用ボックス。
【請求項２】
被覆体の上壁が、一または複数の扉部材によって構成され、該扉部材を介して被覆体の上部が開閉自在となされている、請求項１記載の板状品搬送用ボックス。
【請求項３】
被覆体が、上壁、前後壁および左右壁を有し、下側が開口した蓋部材と、蓋部材によって上側開口が閉止される角筒状の胴部材とで構成される、請求項１記載の板状品搬送用ボックス。
【請求項４】
保持パネルの止め手段が、少なくともベルト、テープまたはフィルムのうちのいずれか一以上であって、該止め手段によって、互いに当接状態の板状品と保持パネルとが一体に巻き締めされるようになされている、請求項１〜請求項３のうちのいずれか一項記載の板状品搬送用ボックス。
【請求項５】
緩衝材が棒状であって、ベース体内に所定間隔をあけて複数敷設され、これら棒状の緩衝材上に保持パネルが渡されている、請求項１〜請求項４のうちのいずれか一項記載の板状品搬送用ボックス。
【請求項６】
保持パネルの縁部に取っ手が設けられた請求項１〜請求項５のうちのいずれか一項記載の板状品搬送用ボックス。
【請求項７】
保持パネル上に板状品を位置決めする外枠部材が固定されている、請求項１〜請求項６のうちのいずれか一項記載の板状品搬送用ボックス。
【請求項８】
保持パネルと板状品との間にシート状のパネル用緩衝材が介在された、請求項１〜請求項７のうちのいずれか一項記載の板状品搬送用ボックス。
【請求項９】
ベース体と被覆体とが結合手段を介して一体化されている、請求項１〜請求項８のうちのいずれか一項記載の板状品搬送用ボックス。
【請求項１０】
結合手段がベルトである、請求項９記載の板状品搬送用ボックス。
【請求項１１】
結合手段がパッチン錠である、請求項９記載の板状品搬送用ボックス。
【発明の詳細な説明】
【技術分野】
【０００１】
本発明は、薄型テレビ等の板状品の搬送に用いられるボックスに関する。
【背景技術】
【０００２】
薄型テレビは、通常、映像を映すディスプレイと放送を受信する受信機等が一体となった板状品であって、前記ディスプレイのサイズは、通常、１６インチ型程度の小型サイズから８０インチを超える大型サイズのものまであり、また縦横の比率も９：１６を標準として種々の比率のものが市販されている。
【０００３】
そして、このような多様なサイズの薄型テレビを搬送するためのボックスには、前述した種々のサイズに対応するための構造が要求される。
【０００４】
従来、薄型テレビを搬送するボックスとしては、底壁と、底壁周縁から立ち上がる周壁と、底壁と周壁とで囲まれる収納空間の開口を閉塞可能な頂壁とからなる収納箱本体と、該収納箱本体の収納空間内に配置され、収納物を挟み込んで固定する複数の挟持体と、挟持体間の距離を調節可能な調節手段とを有する収納箱であって、 前記調節手段が長さ調節機能を有するベルトであり、該ベルトを、前記一対の挟持体と、これら挟持体の収納物外面への当接面と対向する前記収納箱本体の壁面との間に掛け渡し、ベルトの長さを短くすることで、挟持体をベルトが掛け渡された壁面側へ引き寄せ、ベルトの長さを長くすることで、挟持体のベルトが掛け渡された壁面側への引き寄せを解除し、これにより両挟持体間の距離を調節可能としたものが知られている。
【先行技術文献】
【特許文献】
【０００５】
【特許文献１】特開２００７−２３０６１２号公報
【発明の概要】
【発明が解決しようとする課題】
【０００６】
前述した薄型テレビの搬送用ボックスは、薄型テレビの左右側部を支持する一対の挟持体の間隔を調整するためのベルトが必要となる上、該ベルトの長さを調整して薄型テレビの画面サイズに合致させる作業を余儀なくされ、また薄型テレビの左右側部の形状が電器メーカーや機種によって種々異なることから、前記挟持体における前記挟み込みのための収容形状を種々成形して用意しておく必要があるという不都合があった。
【０００７】
本発明の目的は、前述した種々の問題を一挙に解消することができる薄型テレビ等、板状品の搬送用ボックスを提供することにある。
【課題を解決するための手段】
【０００８】
請求項１記載の本発明は、底壁、前後壁および左右壁を有し、上側が開口したベース体と、ベース体の底壁上に設置される緩衝材と、ベース体に嵌め被せられる下側が開口した有底角筒状の被覆体と、前後いずれか一面に、止め手段によって板状品が固定される保持パネルと、ベース体の左右両側に立設され、保持パネルの両側縁が嵌め込まれる溝が形成されたパネル支持体を有する板状品搬送用ボックスである。
【０００９】
本発明の搬送用ボックスが使用される板状品としては、種々のものが対象となり、前述した薄型テレビやパソコンのモニター、或はガラス扉、絵画といった広範囲のものが含まれる。
【００１０】
請求項２記載の本発明は、前記請求項１記載の板状品搬送用ボックスについて、その被覆体の上壁が、一または複数の扉部材によって構成され、該扉部材を介して被覆体の上部が開閉自在となされていることを特徴とする。
【００１１】
請求項３記載の本発明は、前記請求項１記載の板状品搬送用ボックスについて、被覆体が、上壁、前後壁および左右壁を有し、下側が開口した蓋部材と、蓋部材によって上側開口が閉止される角筒状の胴部材とで構成されることを特徴とする。
【００１２】
請求項４記載の本発明は、前記請求項１〜請求項３のうちのいずれか一項記載の板状品搬送用ボックスについて、保持パネルの止め手段が、少なくともベルト、テープまたはフィルムのうちのいずれか一以上であって、該止め手段によって、互いに当接状態の板状品と保持パネルとが一体に巻き締めされるようになされている。
【００１３】
請求項５記載の本発明は、前記請求項１〜請求項４のうちのいずれか一項記載の板状品搬送用ボックスについて、緩衝材が棒状であって、ベース体内に所定間隔をあけて複数敷設され、これら棒状の緩衝材上に保持パネルが渡されているものである。
【００１４】
請求項６記載の本発明は、前記請求項１〜請求項５のうちのいずれか一項記載の板状品搬送用ボックスについて、保持パネルの縁部に取っ手が設けられたものである。なお、前記取っ手の数や位置は任意に設定される。
【００１５】
請求項７記載の本発明は、前記請求項１〜請求項６のうちのいずれか一項記載の板状品搬送用ボックスについて、保持パネル上に板状品を位置決めする枠部材が固定されていることを特徴とする。
【００１６】
請求項８記載の本発明は、前記請求項１〜請求項７のうちのいずれか一項記載の板状品搬送用ボックスについて、保持パネルと板状品との間にシート状のパネル用緩衝材が介在されたものである。
【００１７】
請求項９記載の本発明は、前記請求項１〜請求項８のうちのいずれか一項記載の板状品搬送用ボックスについて、ベース体と被覆体とが結合手段を介して一体化されていることを特徴とする。
【００１８】
請求項１０記載の本発明は、前記請求項９記載の板状品搬送用ボックスについて、結合手段がベルトであり、該ベルトによって、ベース体と被覆体とが締結されるものである。
【００１９】
請求項１１記載の本発明は、前記請求項９記載の板状品搬送用ボックスについて、結合手段がパッチン錠であり、該パッチン錠によって、ベース体と被覆体とが締結されるものである。
【発明の効果】
【００２０】
本発明に係る板状品搬送用ボックスは、搬送する板状品を止め手段によって保持パネルに固定し、該保持パネルをベース体上に載置する構造となっているため、板状品の縦横のサイズや形状等が種々異なる場合でも、これらが全て保持パネルによって、ベース体上に保持することができるという格別の実用的利点を有する。
【００２１】
また、被覆体の上壁が、一または複数の扉部材によって構成され、該扉部材を介して被覆体の上部が開閉自在となされている請求項２記載の本発明に係る搬送用ボックスによれば、被覆体の上部を開けた状態で該被覆体をベース体に嵌め被せることができるため、ベース体に対する被覆体の装着作業がより簡単に行え、またベース体上に載置された板状品の梱包状態を確認し得るという利点がある。
【００２２】
被覆体が、上壁、前後壁および左右壁を有し、下側が開口した蓋部材と、蓋部材によって上側開口が閉止される角筒状の胴部材とで構成される請求項３記載の本発明によれば、先ず、ベース体に胴部材を嵌め被せた後、該胴部材の上側開口を蓋部材で閉止することで板状品の梱包が行え、また前記胴部材の嵌め被せ時に該作業を胴部材の上側開口からベース体の位置を確認しながら行えるため、胴部材の嵌め被せがスムーズに行え、その後、該胴部材の上側に蓋部材を装着するだけで板状品の収容が行える。また、前記請求項２記載の搬送用ボックスと同様、蓋部材を開けるだけでベース体上に載置された板状品の梱包状態を確認し得るという利点がある。
【００２３】
保持パネルの止め手段が、少なくともベルト、テープまたはフィルムのうちのいずれか一以上であって、該止め手段によって、互いに当接状態の板状品と保持パネルとが一体に巻き締めされるようになされた請求項４記載の本発明によれば、板状品の厚みや形状が種々異なる場合でも、前記ベルト、テープまたはフィルムによる巻き締めを調整することで対応し得るため、汎用性が更に向上する。
【００２４】
緩衝材が棒状であって、ベース体内に所定間隔をあけて複数敷設され、これら棒状の緩衝材上に保持パネルが渡される請求項５記載の本発明によれば、板状品が薄型テレビであって、スタンド（脚）を一体に有する場合でも、該スタンドがベース体における隣合う棒状緩衝材間に収容され得るという実用的利点を有する。また、このような利点は、薄型テレビに限らず、板状品の縁部から何らかの突起物が出ている場合にも同様に対応し得る。
【００２５】
保持パネルの縁部に取っ手が設けられた請求項６記載の本発明によれば、保持パネルの把持が容易に行える。
【００２６】
保持パネル上に板状品を位置決めする枠部材が固定された請求項７記載の本発明によれば、板状品が前記止め手段によって保持パネルに一体に固定されると共に、枠部材によって保持パネル上の板状品のズレ等が確実に防止されるため、更に安定的に板状品を保持パネルに固定することができるという実用的利点が付加される。
【００２７】
保持パネルと板状品との間にシート状のパネル用緩衝材が介在された請求項８記載の本発明によれば、板状品のトラック等による輸送の際に、当該搬送用ボックスに衝撃が加わった場合でも、該衝撃が保持パネルから直接的に板状品に伝わらない。
【００２８】
ベース体と被覆体とがベルトやパッチン錠等の結合手段によって一体化された本発明によれば、更に安定的に被覆体が装着され得る。
【図面の簡単な説明】
【００２９】
【図１】本発明の実施形態に係る搬送用ボックスの分解斜視図である。
【図２】同実施形態における保持パネル上に薄型テレビを固定した状態を示す斜視図である。
【図３】図２の薄型テレビが固定された保持パネルをベース体上に支持する状態を示す斜視図である。
【図４】図３の保持パネルが支持されたベース体に被覆体を嵌め被せる状態を示す斜視図である。
【図５】ベース体に保持パネルが嵌め被せられ、外装ベルトで一体化された状態を示す斜視図である。
【図６】被覆体の上壁が扉部材によって開閉自在となされた実施形態を示す搬送用ボックスの分解斜視図である。
【図７】被覆体を蓋部材と胴部材に分割した実施形態を示す搬送用ボックスの分解斜視図である。
【図８】ベース体上に支持された保持パネルの上縁にもパネル支持体を嵌め被せた実施形態を示す側面図である。
【図９】ベース体上にマット状の緩衝材が設置された実施形態を示す搬送用ボックスの斜視図である。
【図１０】ベース体と被覆体をパッチン錠で結合した状態の要部拡大図である。
【発明を実施するための形態】
【００３０】
次に、本発明を板状品としての薄型テレビの搬送用ボックスに適用した場合の実施形態について図面にしたがって説明するが、本発明はかかる実施形態に限定されるものではない。
【００３１】
図１〜図５に示すように、本実施形態に係る搬送用ボックス１は、全体が横長のプラスチック製であって、底壁２ａ、前後壁２ｂ・２ｃおよび左右壁２ｄ・２ｅを有し、上側が開口したプラスチック段ボール製のベース体２と、ベース体２の底壁２ａ上に設置される発泡プラスチック製の緩衝材３と、ベース体２に嵌め被せられる下側が開口した有底角筒状のプラスチック段ボール製の被覆体４と、前面に、止め手段としての左右一対のパネル用ベルト５によって後述する薄型テレビＴが固定されるハニカム構造のプラスチック製保持パネル６と、ベース体２の左右両側に立設され、保持パネル６の両側縁６ａが嵌め込まれる溝７が形成されたパネル支持体８Ａ・８Ｂを有するものである。
【００３２】
ベース体２における左右壁２ｄ・２ｅは、本実施形態では、長さ中央部分が省略された形状となっているが、このような省略部分を設けず、全体が一連の構造としても良い。
【００３３】
図３に示すように、本実施形態では、各左右壁２ｄ・２ｅの内面に両面テープＤＴを貼って、該両面テープＤＴを介して左右壁２ｄ・２ｅとパネル支持体８Ａ・８Ｂとが結合される構造となされている。
【００３４】
また、本実施形態では、ベース体２の底壁２ａにおける両緩衝材３は、略立方体形の棒状であって、薄型テレビＴのスタンド（脚部）Ｓが入る間隔をあけて配置されている。
【００３５】
この他、ベース体２の左右両側に立設されたパネル支持体８Ａ・８Ｂの嵌合用の溝７は、本実施形態では、前後方向に二ヶ所形成されている。
【００３６】
保持パネル６の上縁６ｂおよび両側縁６ａ上部には、それぞれ取っ手９となる略楕円状透孔が形成されている。
【００３７】
また、保持パネル６の前面６Ａには、薄型テレビＴの上側角部ＴＣが当接するＬ字形の位置決め用枠部材１１が接着剤等を介して貼着され、更にこれら枠部材１１の内方には、複数のシート状のパネル用緩衝材１２が適宜貼着されている。
【００３８】
被覆体４は、ベース体２における緩衝材３上に薄型テレビＴが載置された状態で、該薄型テレビＴ全体を覆ってベース体２に嵌め被せられる大きさを有している。また、被覆体４とベース体２は、左右一対の外装ベルト１４によって一体化される。更に、本実施形態では、被覆体４の前後壁４ａ・４ｅおよび両側壁４ｂ・４ｃにそれぞれ取っ手１３が設けられている。
【００３９】
次に、本実施形態に係る搬送用ボックス１を用いて、薄型テレビＴを梱包する要領について説明する。
【００４０】
先ず図２に示すように、ベルトコンベアＢＣや作業台（図示せず）等の上に水平に保持パネル６を置き、その前面６Ａに薄型テレビＴを積み重ね、この際に該薄型テレビＴの下縁ＴＵと保持パネル６の下縁６ｃを一致させた状態とし、そして、薄型テレビＴの上側角部ＴＣにＬ字形の位置決め用枠部材１１を当接させて、該位置決め用枠部材１１を両面テープ等によって保持パネル６の前面６Ａ上に貼着することで薄型テレビＴの位置決めを行う。その後、左右一対のパネル用ベルト５によって、保持パネル６の前面６Ａに薄型テレビＴを一体に固定する。
【００４１】
そして、図３に示すように、ベース体２における一方のパネル支持体８Ａを倒した状態で、他方のパネル支持体８Ｂの溝７に保持パネル６の一側縁６ａを嵌め入れる。
【００４２】
次に、図４に示すように、前記一方のパネル支持体８Ａも立設させて、その溝７内に保持パネル６の他側縁６ａを嵌め入れることで、薄型テレビＴが一体に固定された保持パネル６をベース体２上に支持せしめる。
【００４３】
その後、図５に示すように、前記ベース体２に対して被覆体４を嵌め被せて、左右一対の外装ベルト１４によって、ベース体２と被覆体４を一体化することで薄型テレビＴの梱包が完了する。
【００４４】
前述した実施形態において、被覆体４は、全体が一体構成の有底角筒状としたが、本発明では、このような一体構成のものに限らない。
【００４５】
すなわち、図６に示すように、前記被覆体４の変形例として、その上壁が、前後、左右で合計４枚の扉部材２４ａ〜２４ｄで構成され、これら扉部材２４ａ〜２４ｄを介して被覆体２４の上部が開閉自在とする場合もある。
【００４６】
更に、図７に示すように、前記被覆体４を、上壁３４ａ、前後壁３４ｂ・３４ｃおよび左右壁３４ｄ・３４ｅを有し、下側が開口した蓋部材３４Ａと、蓋部材３４Ａによって上側開口が閉止される角筒状の胴部材３４Ｂとで構成されるようにしても良い。また、この場合、前記胴部材３４Ｂにおける左右壁３４Ｂ１・３４Ｂ２の幅中央にそれぞれ折り線ＣＬを形成して該折り線ＣＬ部分から折り畳み自在とする場合もある。
【００４７】
なお、前述した実施形態において、保持パネル６における薄型テレビＴの固定手段として、左右一対のパネル用ベルト５を用いたが、該ベルト５に代えて、テープや広幅のフィルムを用いることもある。
【００４８】
また、図８に示すように、ベース体２の両側にパネル支持体８Ａ・８Ｂを立設する他、更に保持パネル６の上縁６ｂにも別途、溝２７を有するパネル支持体２８を嵌め被せて保持パネル６の安定性を増強する場合もある。
【００４９】
また、図４および図９に示すように、前記実施形態では、薄型テレビＴがスタンドＳを有することに対応してベース体２に設置する緩衝材３を棒状のものとしたが、前記スタンドＳがない場合には、緩衝材をマット状のもの３３にして薄型テレビＴの下縁全体を支持する構造に変更する場合がある。
【００５０】
更に、図１０に示すように、ベース体２と被覆体４との結合手段として前記外装ベルト１４に代えてパッチン錠４４を用いることもできる。
【産業上の利用可能性】
【００５１】
本発明に係る搬送用ボックスは、前述した通り、薄型テレビやパーソナルコンピュータのモニター等の板状品について、それらの種々のサイズに広範囲に対応して収容可能であるため、幅広い利用が期待できる。
【符号の説明】
【００５２】
１  搬送用ボックス
２  ベース体
２ａ  ベース体の底壁
２ｂ  ベース体の前壁
２ｃ  ベース体の後壁
２ｄ  ベース体の左側壁
２ｅ  ベース体の右側壁
３    緩衝材
４    被覆体
５    パネル用ベルト
６    保持パネル
７    パネル支持体の溝
８    パネル支持体
【図１】
2019089558.tif 000003
【図２】
2019089558.tif 000004
【図３】
2019089558.tif 000005
【図４】
2019089558.tif 000006
【図５】
2019089558.tif 000007
【図６】
2019089558.tif 000008
【図７】
2019089558.tif 000009
【図８】
2019089558.tif 000010
【図９】
2019089558.tif 000011
【図１０】
2019089558.tif 000012